(57)【要約】【課題】ＴＯＣ濃度、とりわけ尿素濃度の極めて低減された超純水を、少ない薬品使用量で、かつ高い水回収率で製造することのできる超純水製造システム及び超純水製造方法を提供する。【解決手段】一次純水システムは、原水中の色度成分を除去する色度除去装置と、色度の除去された色度除去水中のアルカリ土類金属を除去する陽イオン交換装置と、陽イオン交換処理された陽イオン交換処理水中の溶存炭酸を除去する脱炭酸装置と、脱炭酸処理された処理対象水中の尿素を酸化分解する尿素分解装置と、尿素の酸化分解された尿素分解水を逆浸透膜処理する逆浸透膜装置とを備え、尿素分解装置は、尿素分解装置にアルカリ剤を供給して前記処理対象水のｐＨを９以上に調節するアルカリ剤供給装置と、尿素分解装置に次亜臭素酸を添加する次亜臭素酸供給装置と備える超純水製造システム。【選択図】図１
2015100733.tif 000002
【特許請求の範囲】
【請求項１】
原水を、一次純水システム及び二次純水システムで処理して超純水を製造する超純水製造システムであって、
前記一次純水システムは、
前記原水中の色度成分を除去する色度除去装置と、
色度の除去された色度除去水中のアルカリ土類金属を除去する陽イオン交換装置と、
陽イオン交換処理された陽イオン交換処理水中の溶存炭酸を除去する脱炭酸装置と、
前記脱炭酸処理された処理対象水中の尿素を酸化分解する尿素分解装置と、
尿素の酸化分解された尿素分解水を逆浸透膜処理する逆浸透膜装置とを備え、
前記尿素分解装置は、
尿素分解装置にアルカリ剤を供給して前記処理対象水のｐＨを９以上に調節するアルカリ剤供給装置と、
前記尿素分解装置に次亜臭素酸を添加する次亜臭素酸供給装置と
を備えることを特徴とする超純水製造システム。
【請求項２】
前記尿素分解装置は、１又は２以上の処理槽から構成され、前記処理槽の液面上部に不活性ガスを充填する不活性ガス供給手段を備えることを特徴とする請求項１記載の超純水製造システム。
【請求項３】
前記次亜臭素酸供給装置に、塩素系酸化剤を供給する塩素系酸化剤供給装置と臭化物塩を供給する臭化物塩供給装置とを備えることを特徴とする請求項１又は２記載の超純水製造システム。
【請求項４】
前記塩素系酸化剤は、次亜塩素酸ナトリウムであり、かつ前記臭化物塩は臭化ナトリウムであることを特徴とする請求項３記載の超純水製造システム。
【請求項５】
原水を、一次純水システム及び二次純水システムで処理して超純水を製造する超純水製造方法であって、
前記一次純水システムは、
前記原水中の色度成分を除去する色度除去工程と、
色度の除去された色度除去水中のアルカリ土類金属を除去する陽イオン交換工程と、
陽イオン交換工程で生成した陽イオン交換処理水中の溶存炭酸を除去する脱炭酸工程と、
前記脱炭酸工程で生成した処理対象水中の尿素を酸化分解する尿素分解工程と、
尿素の酸化分解された尿素分解水を逆浸透膜処理する逆浸透膜工程とを備え、
前記尿素分解工程は、
前記処理対象水にアルカリ剤を供給して前記処理対象水のｐＨを９以上に調節するアルカリ剤供給工程と、
前記処理対象水に次亜臭素酸を添加する次亜臭素酸供給工程と
を備えることを特徴とする超純水製造方法。
【発明の詳細な説明】
【技術分野】
【０００１】
本発明は、超純水製造システム及び超純水製造方法に関する。
【背景技術】
【０００２】
従来、半導体製造工程で使用する超純水は、超純水製造システムを用いて製造されている。超純水製造システムは例えば、前処理システム、回収処理システム、一次純水システム、二次純水製造システムから構成され、被処理水中のＴＯＣ(全有機炭素)やイオン成分等の不純物を極限まで除去して超純水を製造する。原水としては、市水、井水、地下水、工業用水等が用いられる他、ＰＯＵ（ユースポイント）で回収された使用済みの超純水（以下、回収水と称する。）が用いられている。
【０００３】
前処理システムは、市水等に含まれる濁質分や微生物を除去して、前処理水を生成する。回収処理システムは、回収水中の過酸化水素、硫酸、塩酸、フッ酸、アンモニア、テトラメチルアンモニウム、ジメチルスルホキシド、イソプロピルアルコール等の薬剤を除去して回収処理水を生成する。
【０００４】
一次純水システムは、前処理水及び回収処理水中のＴＯＣ成分やイオン成分を除去して一次純水を生成する。二次純水システムは、一次純水中の極微量の不純物を除去して最終仕上げをした上で、超純水をユースポイントに供給する。
【０００５】
ところで、近年、半導体製造工程で使用する超純水については、より高い水質、例えばＴＯＣ濃度は１μｇＣ／Ｌ以下の水質が求められ、その上、超純水製造における水回収率もより高くすることが求められている。上述した超純水製造システムにおいて、原水中のＴＯＣを分離、吸着、分解等の手段で低減化するものは、逆浸透膜装置、イオン交換装置、紫外線酸化装置であるが、従来の超純水製造システムではこれらによる尿素の除去率が必ずしも十分ではなく、除去率を高めるために処理工程を多くすると水回収率が低くなるという問題があった。ＴＯＣ濃度のさらなる低減化のためには尿素の除去率の向上が重要であることが知られており、尿素を分解除去する方法が検討されている。
【０００６】
尿素を除去する方法として、被処理水に次亜臭素酸を添加して、水中の窒素系有機物を分解除去し、超純水を製造する方法が提案されている(例えば、特許文献１参照。)。また、被処理水に臭化ナトリウム及び次亜塩素酸ナトリウムを添加した後、生物活性炭塔に通水して尿素を除去する方法が提案されている(例えば、特許文献２参照。)。
【先行技術文献】
【特許文献】
【０００７】
【特許文献１】特表２０１０−５３１７２４号公報
【特許文献２】特開２０１２−１１３５６号公報
【発明の概要】
【発明が解決しようとする課題】
【０００８】
しかしながら、従来の方法では、原水水質によっては尿素分解のために添加する酸化剤等の薬品量が多くなり、これら薬品による水処理装置の劣化が生じ易い。また、過剰の酸化剤等を分解除去するための還元剤の使用量も多くなる。
【０００９】
さらにこれらの薬品の使用量が多くなることで、超純水の製造効率が低下し易いという問題もある。そのため、より高い水回収率で尿素濃度の極めて低減された超純水を製造する方法が求められていた。
【００１０】
本発明は上記した課題を解決するためになされたものであって、ＴＯＣ濃度、とりわけ尿素濃度の極めて低減された超純水を、少ない薬品使用量で、かつ高い水回収率で製造することのできる超純水製造システム及び超純水製造方法を提供することを目的とする。
【課題を解決するための手段】
【００１１】
本発明による超純水製造システムは、原水を、一次純水システム及び二次純水システムで処理して超純水を製造する超純水製造システムであって、前記一次純水システムは、前記原水中の色度成分を除去する色度除去装置と、色度の除去された色度除去水中のアルカリ土類金属を除去する陽イオン交換装置と、陽イオン交換処理された陽イオン交換処理水中の溶存炭酸を除去する脱炭酸装置と、前記脱炭酸処理された処理対象水中の尿素を酸化分解する尿素分解装置と、尿素の酸化分解された尿素分解水を逆浸透膜処理する逆浸透膜装置とを備え、前記尿素分解装置は、尿素分解装置にアルカリ剤を供給して前記処理対象水のｐＨを９以上に調節するアルカリ剤供給装置と、前記尿素分解装置に次亜臭素酸を添加する次亜臭素酸供給装置とを備えることを特徴とする。
【００１２】
本発明による超純水製造方法は、原水を、一次純水システム及び二次純水システムで処理して超純水を製造する超純水製造方法であって、前記一次純水システムは、前記原水中の色度成分を除去する色度除去工程と、色度の除去された色度除去水中のアルカリ土類金属を除去する陽イオン交換工程と、陽イオン交換工程での陽イオン交換処理水中の溶存炭酸を除去する脱炭酸工程と、前記脱炭酸工程で生成した処理対象水中の尿素を酸化分解する尿素分解工程と、尿素の酸化分解された尿素分解水を逆浸透膜処理する逆浸透膜工程とを備え、前記尿素分解工程は、前記処理対象水にアルカリ剤を供給して前記処理対象水のｐＨを９以上に調節するアルカリ剤供給工程と、前記処理対象水に次亜臭素酸を添加する次亜臭素酸供給工程とを備えることを特徴とする。
なお、本明細書において、次亜臭素酸とは、ＢｒＯ−イオン及び／又はＨＢｒＯを意味する。
【発明の効果】
【００１３】
本発明の超純水製造システム及び超純水製造方法によれば、ＴＯＣ濃度、とりわけ尿素濃度の極めて低減された超純水を、少ない薬品使用量で、かつ高い水回収率で製造することができる。
【図面の簡単な説明】
【００１４】
【図１】実施形態の超純水製造システムを示すブロック図である。
【図２】処理対象水のｐＨと尿素の除去率の関係を示すグラフである。
【図３】市水及び回収水への次亜臭素酸の添加量と、尿素除去率の関係を示すグラフである。
【図４】次亜臭素酸の分解速度を示すグラフである。
【図５】実施例で用いた一次純水システムを示すブロック図である。
【図６】比較例で用いた一次純水システムを示すブロック図である。
【発明を実施するための形態】
【００１５】
以下、本発明実施の形態を、図面を用いて説明する。各図において、共通する機能を有する構成は同一の符号を付して示し、重複する説明を省略する。また、本発明は以下の実施形態に限定されるものではない。
【００１６】
図１は、第１の実施形態の超純水製造システム１を示すブロック図である。本実施形態の超純水製造システム１は、前処理システム１０と、回収処理システム１１と、前処理水及び回収処理水を貯留する前処理タンク１２を備えている。また、超純水製造システム１は、前処理タンク１２の後段に、一次純水システム２０と、二次純水システム４０とを順に備えている。
【００１７】
原水は、有機物を含むものであり、市水、井水、地下水、河川水、工業用水、半導体製造工程からの使用済みの超純水（以下、回収水と称する。）等を用いる。原水中には、有機物として尿素が含まれており、尿素濃度は好ましくは０．０１〜０．２ｍｇ／Ｌ、より好ましくは０．０２〜０．１ｍｇ／Ｌ程度である。
【００１８】
前処理システム１０は、原水として、市水、井水、地下水、河川水、工業用水を用いる場合に、該原水中の濁質成分を除去する。前処理システム１０は、例えば、砂ろ過装置、精密ろ過装置等を適宜選択して構成される。前処理システム１０は、さらに必要に応じて熱交換器等を備え、被処理水の温度調節を行う。原水として、市水など濁質成分が少ない水を用いる場合には、前処理システム１０は設けなくても良い。
【００１９】
回収処理システム１１は、原水として回収水を用いる場合に、該回収水中の硫酸、塩酸、アンモニア等の薬剤を除去する。回収処理システム１１は、例えば、活性炭装置、イオン交換装置、逆浸透膜装置等で構成されている。前処理タンク１２は上記のように生成した前処理水及び／又は回収処理水を一旦貯留して、一次純水システム２０に供給する。
【００２０】
なお、一次純水システム２０では前処理水のみ又は回収処理水のみを用いて純水を製造してもよく、前処理水及び回収処理水の両者を混合して用いてもよい。
【００２１】
一次純水システム２０は、色度除去装置２１、陽イオン交換装置（ＳＣ）２２、脱炭酸塔（ＤＧ）２３、尿素分解装置２４、ポンプ２５及び逆浸透膜装置（ＲＯ）２６をこの順に備えている。
【００２２】
色度除去装置２１としては、原水中のフミン質及び／又はフミン質に由来する溶解性有機炭素（ＤＯＣ）成分、懸濁物質等の色度成分を除去できるものであれば限定されず、例えば活性炭塔（ＡＣ）や接触酸化塔を用いることができる。なお、フミン質とは、植物などが微生物に分解されることにより生じる腐食物質をいい、フミン酸、フルボ酸、フミン等を含んでいる。活性炭塔としては、ヤシガラ系、石炭系の活性炭を、粉末状、粒状のものや、繊維状、板状、ハニカム状に成形して充填したものを用いることができる。
【００２３】
接触酸化塔は、塩素の存在下で色度除去能力を有する色度除去剤を充填したものである。色度除去剤としては、塩素の存在下で色度成分の除去能力を有するものであればよく、フミン酸の除去性能が高いことから、ラジカルライト（商品名、(株)トーケミ製）、カラーカッター（商品名、日本原料（株）製）等の市販品が好適に用いられる。原水が色度成分を１０度以上の高濃度で含有する場合には、活性炭の寿命が短くなる場合があるため、色度除去装置２１として接触酸化塔を用いることが好ましい。
【００２４】
色度除去装置２１では、被処理水中に色度除去処理を施して、色度成分を除去する。色度除去装置２１として接触酸化塔を用いる場合には、被処理水に次亜塩素酸ナトリウムを１〜２ｍｇ／Ｌ程度添加して、色度除去装置２１に給水する。色度除去装置２１として活性炭塔を用いる場合には、被処理水への次亜塩素酸ナトリウムの添加は行わなくてもよいが、次亜塩素酸ナトリウムを添加することで色度の除去率向上させることが可能である。また、通水条件は、色度除去装置２１として活性炭塔又は接触酸化塔を用いる場合、空間速度ＳＶは５〜２５ｈ−１であることが好ましく、ＳＶは１０〜２０ｈ−１であることがより好ましい。これにより、被処理水中の色度成分を高除去率で除去することができる。
【００２５】
色度除去装置２１の処理水の色度は、５度以下に低減することが好ましく、２度以下に低減することがより好ましく、おおよそ１度以下まで低減することが特に好ましい。これにより、後段の逆浸透膜装置２６での色度成分による膜のつまりを抑制することができる。また、後段の尿素分解装置２４において処理対象水中に残留する色度成分、特にフミン質による次亜臭素酸の消費が抑えられ、尿素分解効率を向上させることができる。なお、色度除去水の色度は例えば、塩化白金酸コバルトの標準液を用いた比色法、３９０ｎｍ付近の波長の吸光度法によって測定できる。また、色度は、２１００ＡＮ(東亜ディーケーケー（株）製)等の市販の測定器で測定可能である。
【００２６】
陽イオン交換装置２２は、原水中の陽イオン成分を交換除去する。陽イオン交換装置２２としては、例えば、強酸性陽イオン交換樹脂や弱酸性陽イオン交換樹脂を充填した陽イオン交換塔を用いることができる。陽イオン交換装置２２として、弱酸性陽イオン交換樹脂と強酸性陽イオン交換樹脂を積層して充填した陽イオン交換塔を用いることもできる。ここで、後段の逆浸透膜装置２６では、供給水中のアルカリ土類金属イオンと溶存炭酸が多いと、膜面にスケールが形成し、詰まりの原因となる。陽イオン交換装置２２としては、逆浸透膜装置のつまりの原因である、アルカリ土類金属の除去性能に優れる点から、強酸性陽イオン交換樹脂を充填した強酸性陽イオン交換塔であることが好ましい。また、回収水に混入するアンモニアは、尿素分解効率を低下させる原因となるが、強酸性陽イオン交換樹脂は、アンモニアの除去性能に優れる点からも好ましい。
【００２７】
陽イオン交換装置２２は、色度除去水に、陽イオン交換処理を施して、原水中のスケール形成物質であるアルカリ土類金属を除去する。陽イオン交換処理では、アンモニウムイオン、アルカリ土類金属以外の金属イオン等の陽イオン成分を除去することもできる。陽イオン交換処理では、陽イオン交換塔を用いる場合には、通水条件として、空間速度を好ましくはＳＶ５〜３５ｈ−１、より好ましくはＳＶ７〜２５ｈ−１で通水する。
【００２８】
脱炭酸装置２３は、逆浸透膜装置のつまりの原因となる原水中の溶存炭酸を除去するものであれば特に限定されず、常圧脱気塔、窒素脱気塔、真空脱気塔、膜脱気装置等を用いることができる。中でも、装置構成を簡易にできることから常圧脱気塔であることが好ましい。
【００２９】
脱炭酸装置２３は、陽イオン交換処理水の脱炭酸処理を行う。脱炭酸処理では、被処理水中の溶存炭酸を除去して炭酸濃度が１〜１０ｍｇ／Ｌ程度に低下した脱炭酸水を生成する。また、ｐＨ緩衝効果のある溶存炭酸を脱炭酸装置２３が除去することで、尿素分解装置２４におけるアルカリ剤の添加量を低減することができる。
【００３０】
尿素分解装置２４は、例えば、それぞれ気密に構成された１槽又は２槽以上の処理槽からなり、処理槽中で尿素分解処理を行う。尿素分解装置２４は、処理対象水の温度を調節するヒーター等を備えていてもよい。
【００３１】
尿素分解装置２４には、尿素分解装置２４にアルカリ剤を添加するアルカリ剤供給装置２７及び次亜臭素酸を供給する次亜臭素酸供給装置２８が付設されている。次亜臭素酸供給装置２８には、次亜臭素酸供給装置２８に臭化物塩を供給する臭化物塩供給装置２９と、塩素系酸化剤を供給する塩素系酸化剤供給装置３０が接続されている。
【００３２】
尿素分解装置２４における尿素分解処理では、脱炭酸処理水に、アルカリ剤を添加してｐＨを９以上に調整した状態で次亜臭素酸を添加し、処理対象水中の尿素を酸化分解する。アルカリ剤の量は、尿素分解装置２４での処理対象水のｐＨを９以上に上昇させるために十分な量とする。また、次亜臭素酸の添加量は、ｐＨを大きく調製するほど少なくできる傾向であり、具体的には、尿素分解装置２４での処理対象水のｐＨを９〜１０程度とした場合には、次亜臭素酸イオン換算量で、５〜２０ｍｇ／Ｌ（ａｓ  ＢｒＯ−）、ｐＨを１０より大きく調製した場合には、２〜１０ｍｇ／Ｌ（ａｓ  ＢｒＯ−）とすることが好ましい。ここで、次亜臭素酸イオン換算量は、下記式（１）で次亜臭素酸ナトリウム及び臭化ナトリウムが反応するとしたときの添加量を次亜臭素酸イオン（ＢｒＯ−）換算で表わしたものである。
ＮａＣｌＯ  ＋ＮａＢｒ  →ＮａＢｒＯ  ＋ＮａＣｌ          …（１）
【００３３】
尿素分解処理での反応時間すなわち滞留時間は、原水中の尿素濃度にもよるが１０〜３０分とする。これにより、次亜臭素酸による尿素分解反応を十分に進め得る。
【００３４】
尿素分解装置２４における次亜臭素酸の添加量は、臭化物塩供給装置２９が供給する臭化物塩及び塩素系酸化剤供給装置３０が供給する塩素系酸化剤の量を制御することで調節することができる。例えば、原水中の尿素濃度をあらかじめ測定し、測定値に基いて臭化物塩及び塩素系酸化剤の供給量を上記した好ましい範囲内で制御する。この場合、原水の尿素濃度の測定は一定の間隔で定期的に行ってもよく、オンラインで連続して行ってもよい。臭化物塩及び塩素系酸化剤の供給量は、測定値に応じて連続して必要最小量に制御してもよく、一定期間の測定値に基いて必要量より過剰に供給してもよい。このように、尿素分解処理を施すことによって、尿素分解処理における尿素の除去率は、７０〜９９％が得られる。
【００３５】
アルカリ剤供給装置２７は、尿素分解装置２４の処理対象水にアルカリ剤を供給して、処理対象水のｐＨを９以上に調製し、尿素分解装置２４での尿素除去率を向上させる。アルカリ剤供給装置２７は、例えばアルカリ性の水溶液を貯留する薬液タンクと、薬液タンクに貯留されたアルカリ剤の水溶液を定量して次亜臭素酸供給装置２８に供給する定量ポンプで構成される。アルカリ剤としては、水酸化ナトリウム、水酸化カリウムが好適に用いられる。なお、尿素分解装置２４に供給されたアルカリ剤は後段の逆浸透膜装置２６で除去される。
【００３６】
次亜臭素酸供給装置２８は、例えば、１槽又は２槽以上の、内容物を撹拌する撹拌機を備えた処理槽から構成され、処理槽内で臭化物塩と塩素系酸化剤を水溶液中で混合して次亜臭素酸の水溶液を生成し、生成した次亜臭素酸の水溶液を定量ポンプ等によって尿素分解装置２４に供給する。また、次亜臭素酸供給装置２８は、ラインミキサー等、配管内で内容物を混合する構成であってもよい。次亜臭素酸供給装置２８が供給する次亜臭素酸としては、例えば、次亜臭素酸ナトリウム、次亜臭素酸カリウム等の次亜臭素酸塩を用いることができる。なお、次亜臭素酸供給装置２８は、臭化物塩と塩素系酸化剤を反応させなくてもよく、この場合には、次亜臭素酸ナトリウム、次亜臭素酸等を貯留してこれを尿素分解装置２４に供給してもよい。
【００３７】
臭化物塩供給装置２９は、例えば、臭化物塩の水溶液を貯留する薬液タンクと、薬液タンクに貯留された臭化物塩の水溶液を定量して次亜臭素酸供給装置２８に供給する定量ポンプで構成される。臭化物塩供給装置２９が供給する臭化物塩としては、臭化ナトリウム、臭化カリウム等の金属臭化物塩が挙げられる。中でも、入手が容易であることから、臭化ナトリウムが好適に用いられる。臭化物塩の供給量は、次亜臭素酸濃度がＢｒＯ−換算で２〜２０ｍｇ／Ｌとなる量であるのが好ましい。臭化物塩の量が２ｍｇ／Ｌ以上であれば、尿素分解装置２４において尿素の酸化分解を十分に行うことができる。一方、臭化物塩の量が２０ｍｇ／Ｌを超えると、添加量に応じて尿素の除去効果はある程度高まるものの、後段の逆浸透膜装置２６において、逆浸透膜の劣化や、イオン負荷の増大を招くおそれがある。
【００３８】
また、塩素系酸化剤供給装置３０は例えば、塩素系酸化剤の水溶液を貯留する薬液タンクと、薬液タンクに貯留された塩素系酸化剤の水溶液を定量して次亜臭素酸供給装置２８に供給する定量ポンプで構成される。塩素系酸化剤供給装置３０が供給する塩素系酸化剤としては、次亜塩素酸ナトリウム、次亜塩素酸、次亜塩素酸カリウム等、塩素系酸化剤が挙げられる。塩素系酸化剤の供給量は、２〜２０ｍｇ／Ｌ程度、特に２〜１０ｍｇ／Ｌ程度であることが好ましい。これにより、塩素系酸化剤の供給量は遊離有効塩素濃度で、好ましくは０．９５〜９．５ｍｇ／Ｌ程度、より好ましくは０．９５〜４．８ｍｇ／Ｌ程度に調整され得る。塩素系酸化剤の添加量が２ｍｇ／Ｌ以上であれば、尿素分解装置２４において尿素の酸化分解を十分に行うことができ、２０ｍｇ／Ｌを超えても、それ以上の効果の向上が得られない上に、残存する塩素系酸化剤（遊離塩素を含む）及び次亜臭素酸(以下、残留酸化剤と総称する。)が増加するため、残留酸化剤の除去のために必要となる還元剤の添加量が増大してしまう。
【００３９】
臭化物塩供給装置２９が供給する臭化物塩及び塩素系酸化剤供給装置３０が供給する塩素系酸化剤の組合せとしては、臭化ナトリウムと次亜塩素酸ナトリウムの組合せが、入手の容易さと価格の面から好適である。
【００４０】
なお、臭化物塩供給装置２９及び塩素系酸化剤供給装置３０はそれぞれ、尿素分解装置２４に直接、臭化物塩又は塩素系酸化剤を供給してもよい。この場合、尿素分解装置２４内で次亜臭素酸を生成するため、次亜臭素酸供給装置２８を省略でき、ポンプや処理槽の設置数を削減することができる。
【００４１】
また、尿素分解装置２４では、上記したように処理対象水がアルカリ性に調整されるため、空気中の二酸化炭素が処理対象水中に溶解し易い。したがって、尿素分解装置２４の処理槽内の液面上部を窒素ガス、ヘリウムガス等の不活性ガスで封止することが好ましい。そのため、尿素分解装置２４の処理槽上部に、不活性ガス供給装置３１を、ガスシール弁などを介装した配管によって接続し、不活性ガスを処理槽の液面上部に供給する。これにより、タンク内圧を例えば０．２〜１ｋＰａに常に保ち、外気の混入を防止することができる。このように、処理槽内の液面上部を不活性ガスで封止することで、処理対象水と空気の接触を遮断し、処理対象水中への二酸化炭素の混入を防止することができる。不活性ガスとしては、入手し易いことから窒素ガスであることが好ましい。
【００４２】
また、この尿素分解装置２４の後段において、残留酸化剤の量が多い場合には、必要に応じ還元剤供給装置３２を設けて、尿素分解水に還元剤を供給することが好ましい。還元剤供給装置３２としては、撹拌機を備えた処理槽を設置して該処理槽内で残留酸化剤を分解処理するように構成することができる。また、残留酸化剤と還元剤の反応は短時間で進行するため、配管に還元剤を注入し、ラインミキサーなどで混合する構成であってもよい。還元剤としては、残留酸化剤を還元するものであれば特に限定されず、例えば二酸化硫黄、チオ硫酸塩、亜硫酸塩、重亜硫酸塩、亜硝酸塩、ギ酸、シュウ酸、Ｌ−アスコルビン酸等又はこれらの塩、ヒドラジン類、アルデヒド類等を用いることができる。これらの中で、入手の容易さと価格の面から、チオ硫酸塩、亜硫酸塩を好適に用いることができる。
【００４３】
還元剤の添加量は、残留酸化剤の残存濃度に応じて適量を添加すればよい。尿素分解水の残留酸化剤の濃度には変動があるため、尿素分解水の残留酸化剤の濃度を測定して、残留酸化剤濃度に応じて還元剤の添加量を制御することが好ましい。この場合、酸化剤濃度を連続的に又はこれと同等の頻度で測定し、測定濃度に応じて還元剤の添加量を制御してもよく、また一定期間を定めて測定し、測定濃度に応じた添加量を適宜設定してもよい。酸化剤の濃度の検出手段としては、ジエチル−ｐ−フェニレンジアンモニウム（ＤＰＤ）やオルトトリジン等を用いた比色法、紫外線等の吸光光度法、酸化還元電位（ＯＲＰ）、ポーラログラフ法等が挙げられる。また、残留塩素の濃度の検出手段としてポーラログラフ法等の残留塩素計を用いることができ、中でも、操作が簡易であることから、ジエチル−ｐ−フェニレンジアンモニウム（ＤＰＤ）やオルトトリジン等を用いた比色法が好ましい。
【００４４】
ポンプ２５は、尿素分解水を逆浸透膜装置２６に供給する。ポンプ２５は、逆浸透膜装置２６での不純物の除去率を高めるために、尿素分解水を０．５〜２．５ＭＰａに加圧することが好ましい。１．０〜２．０ＭＰａがより好ましい。ポンプ２５は例えば、吐出圧の調節可能な給水ポンプを用いることができる。
【００４５】
逆浸透膜装置２６は、尿素分解水中の塩類及びイオン性、コロイド性の有機物等不純物を除去して濃縮水及び透過水を生成する。逆浸透膜装置２６としては、三酢酸セルロース系非対称膜や、ポリアミド系複合膜を用い、シート平膜、スパイラル膜、管状膜、中空糸膜とした膜モジュールを用いることができる。中でも、不純物の除去率を高める点から、ポリアミド系の複合膜であることが好ましく、膜形状はスパイラル膜であることが好ましい。逆浸透膜装置２６を２段直列に接続して２段逆浸透膜装置とすることで、不純物の除去率を向上させてもよい。
【００４６】
また、逆浸透膜装置２６の後段には、例えば紫外線酸化装置３３、混床式イオン交換装置３４、膜脱気装置３５等を設置してもよい。これらにより、逆浸透膜処理水（透過水）に紫外線酸化処理及び混床式イオン交換処理を施して、逆浸透膜処理水中に微量残存する有機物を紫外線で分解し、混床式イオン交換樹脂で吸着除去してもよい。
【００４７】
二次純水システム４０は、一次純水を貯留する一次純水タンク３６の後段に、例えば、紫外線酸化装置、非再生式混床式イオン交換樹脂塔、膜脱気装置及び限外ろ過装置を備えており、一次純水システムで製造された一次純水中の有機炭素（ＴＯＣ）濃度を１μｇＣ／Ｌ程度まで低減して、超純水を製造する。二次純水システム４０は、ユースポイント（ＰＯＵ）５０に接続されて、製造された超純水をＰＯＵに供給する。
【００４８】
このように、本実施形態の一次純水システム１を用いて、原水から比抵抗１７ＭΩ・ｃｍ以上、ＴＯＣ濃度１０μｇＣ／Ｌ以下、尿素濃度１μｇ／Ｌ以下の一次純水を製造する。得られた一次純水をさらに二次純水システム４０で処理して、超純水を製造する。
【００４９】
以上、本実施形態の超純水製造システム１では、一次純水システム２０が、超純水中のＴＯＣ源となり得る原水中の尿素を、尿素分解装置２４において次亜臭素酸塩を用いて酸化分解する。このとき、原水中の色度成分があらかじめ色度除去装置２１で除去されているため、色度成分の分解に消費される次亜臭素酸の量が極力低減され、尿素分解装置２４における次亜臭素酸の使用量を低減することができる。また、原水として回収水を用いる場合にも、陽イオン交換装置２２が、アンモニアを吸着除去するため、尿素分解装置２４における次亜臭素酸の使用量を低減することができる。
【００５０】
また、アルカリ剤供給装置２７が尿素分解装置２４にアルカリ剤を供給して、被処理水のｐＨを９以上に調整するため、尿素分解装置２４での尿素分解効率を飛躍的に向上させることができる。また、逆浸透膜装置２６の供給水は、上流側の陽イオン交換装置２２と脱炭酸塔２３の組合せによってスケール(ＣａＣＯ３等)の形成物質であるアルカリ土類金属（カルシウムイオンやマグネシウムイオン）と溶存炭酸が除去され、尿素分解装置２４においてｐＨ９以上に調整されてシリカの溶解度が上昇している。したがって逆浸透膜装置２６は、膜面へのシリカスケールを防止できるので、水回収率を例えば９０％以上で運転することができる。また、臭素除去率を向上させるための特別な装置として、尿素分解装置等を設置する以外、特別な装置を設置する必要がないため、簡単な装置構成にて、極めて尿素の低減された超純水を製造することができる。
【実施例】
【００５１】
次に、実験例について説明する。実験例で用いた装置の仕様は次のようである。
【００５２】
ｐＨ及び導電率測定器：ＤＳ−５４ＳＥ（Ｈｏｒｉｂａ製）
尿素濃度測定：ＬＣ／ＭＳ(液体クロマトグラフィ及び質量分析計)
残留塩素計：残留塩素測定器、ＳＩＢＡＴＡ製、測定方法：ＤＰＤ法
【００５３】
（実験例１）
本実験例では、処理対象水のｐＨと尿素の除去率の関係について調べた。気密に構成された処理槽内に厚木市水（導電率１８０μＳ／ｃｍ、ＴＯＣ濃度０.６ｍｇＣ／Ｌ）２Ｌを収容し、０．１ｍｇ／Ｌとなるように尿素を添加して処理対象水１を調整した。処理対象水１に、水酸化ナトリウム又は塩酸を加えてｐＨを調整した後、次亜臭素酸イオン換算量で５ｐｐｍ（ａｓ  ＢｒＯ−）になるように、臭化ナトリウム５．３６ｍｇ／Ｌ、次亜塩素酸ナトリウム３．８８ｍｇ／Ｌ(遊離有効塩素濃度で１．８ｍｇ／Ｌ)となる量添加して、３０分間撹拌して反応させた。処理対象水１について、ｐＨを変化させて上記試験を行った。
【００５４】
次いで、還元剤として亜硫酸ナトリウムを、残留塩素計で残留塩素濃度を測定しながら、測定値がゼロになるまで添加した。なお、亜硫酸ナトリウムの添加量は、２．６〜６．６８ｍｇ／Ｌであった。次いで、処理後の尿素濃度を測定した。結果を、縦軸を処理水対象中の尿素除去率、横軸を処理対象水１のｐＨとして図２のグラフに示す。
【００５５】
（実験例２）
本実験例では、処理対象水への次亜臭素酸の添加量と、尿素除去率の関係を調べた。処理槽内に実験例１と同様の厚木市水２Ｌを収容し、尿素濃度が０．１ｍｇ／Ｌ（ＴＯＣ濃度で０．０２ｍｇＣ／Ｌ）となるように尿素を添加したものを処理対象水２とした。処理対象水２に、水酸化ナトリウム又は塩酸を加えてｐＨを調整した後、臭化ナトリウム及び次亜塩素酸ナトリウムを添加して、３０分間撹拌して反応させた。
【００５６】
次いで、残留塩素計で残留塩素濃度を測定しながら、還元剤として亜硫酸ナトリウムを残留塩素計の測定値がゼロになるまで添加し、その後、処理水中の尿素濃度を測定した。
【００５７】
処理対象水４のｐＨを６．５、８、１０に調製したときの尿素除去率(縦軸)を、次亜臭素酸添加量を横軸として図３のグラフに示す。
【００５８】
また、半導体工場の回収水（導電率１５μＳ／ｃｍ 、ＴＯＣ濃度１３μｇＣ／Ｌ、アンモニア濃度０．６ｍｇ／Ｌ）に尿素濃度が０．１ｍｇ／Ｌ（ＴＯＣ濃度で０．０２ｍｇＣ／Ｌ）となるように尿素を添加したものを処理対象水３として、処理対象水２と同様の方法でｐＨを１０に調製して処理対象水２と同様に試験を行った。結果を、市水を用いた場合と併せて図３のグラフに示す。
【００５９】
なお、実験例１及び実験例２において、次亜臭素酸ナトリウムの添加量は、添加した次亜臭素酸ナトリウム及び臭化ナトリウムが、上述した反応式（１）で反応するとして、次亜臭素酸ナトリウム及び臭化ナトリウムの添加量を次亜臭素酸イオン換算で表示したものである。
【００６０】
図２〜３より、処理対象水のｐＨを９以上に調製することで、ｐＨを９未満とした場合に比べて、次亜臭素酸の添加量が少なくても、良好な尿素除去率を得られることが分かる。また、図３において、市水に比べ、回収水を用いた場合の尿素除去率が低くなっているが、これは、回収水中のアンモニアと次亜臭素酸が次式のように反応し、次亜臭素酸が分解されるためと考えられる。
２ＮＨ３＋３ＢｒＯ−  →  Ｎ２＋３Ｂｒ−＋２Ｈ２Ｏ
なお、図２〜３におけるｐＨの値は、反応させている間の処理対象水のｐＨの実測値の上限及び下限を示している。
【００６１】
（実験例３）
本実験例では、フミン酸及び硫酸アンモニウムの次亜臭素酸への影響を調べた。
先ず、純水に、次亜塩素酸ナトリウムと臭化ナトリウムを混合し、次亜臭素酸濃度７１０ｍｇ／Ｌ（ＢｒＯ−換算）の試験水１を調製した。次いで、この試験水１に、尿素を１ｍｇ／Ｌで添加して、試験水２を調整した。また、同様に、フミン酸１ｍｇ／Ｌ、硫酸アンモニウム１ｍｇ／Ｌを添加してそれぞれ試験水３、試験水４を調整した。試験水１〜４について、波長３３０ｎｍの光を照射して、吸光度の経時変化を測定した。吸光度計としては、紫外可視分光光度計ＵＶｍｉｎｉ−１２４０（島津製作所(株)製）を用いた。結果を図４に示す。図４において、三角形は試験水１、四角形は試験水２、黒丸は試験水３、白丸は試験水４を示す。また、吸光度は次亜臭素酸の濃度に対応し、吸光度が大きいほど次亜塩素酸濃度が大きいことを示す。
【００６２】
図４より、次亜臭素酸は純水中で自己分解するために、試験水１の吸光度は時間とともに徐々に減少していることが分かる。フミン酸を添加した試験水３、硫酸アンモニウムを添加した試験水４では、試験水１及び試験水２に比べて、吸光度が時間とともに急激に減少しており、これは尿素に比べて、硫酸アンモニウム又はフミン酸による次亜臭素酸の分解反応速度が速いことを示している。
【００６３】
次に、実施例及び比較例について説明する。実施例で用いた装置の仕様は次のようである。また、次に記載するもの以外の装置は実験例と同様の装置を用いた。
【００６４】
活性炭塔ＡＣ（カルゴンカーボンジャパン製、ダイヤホープＭ００６ＬＦＡ）
接触酸化塔（（株）トーケミ製、ラジカルライト）
強酸性陽イオン交換塔ＳＣ（ＤＯＷ製、ディオライトＣ２０ＬＦ）
脱炭酸塔ＤＧ（直径３００ｍｍ、高さ２ｍのタワーに月島環境エンジニアリング(株)製テラレット(Ｓタイプ、材質：ポリプロピレン（ＰＰ)）を約１２０Ｌ充填したもの）
逆浸透膜装置ＲＯ（東レ（株）製、ＳＵ‐７２０ＲＢ、２本使用）
色度計：２１００ＡＮ（東亜ディーケーケー(株)製）
【００６５】
(実施例１)
図５に示すものと同様の一次純水システム２０で純水を製造した。図５に示す一次純水システム２０は、活性炭塔（ＡＣ）２１、強酸性陽イオン交換塔（ＳＣ）２２、脱炭酸塔（ＤＧ）２３、尿素分解槽２４、ポンプ２５、逆浸透膜装置（ＲＯ）２６を備えている。
【００６６】
井水（導電率３３０μＳ／ｃｍ、ＴＯＣ濃度０．３５ｍｇＣ／Ｌ）に尿素濃度が０．１ｍｇ／Ｌ（ＴＯＣ濃度で０．０２ｍｇＣ／Ｌ）となるように尿素を添加し、さらに塩化アンモニウムをアンモニア濃度として０．５ｍｇ／Ｌとなるように添加して、井水と回収水の混合水を模擬した水を調整した。これにさらに、フミン酸を添加して色度を０．８〜１．１度の被処理水１を調整した。
【００６７】
被処理水１を２ｍ３／ｈｒで活性炭塔ＡＣ（空間速度ＳＶ＝１０ｈｒ−１）に導入した。次いで、活性炭処理水を、強酸性陽イオン交換塔ＳＣ（空間速度ＳＶ＝２０ｈｒ−１）、脱炭酸塔ＤＧ、尿素分解槽に順に通水した。尿素分解槽では、水酸化ナトリウムを添加してｐＨを１０に調製した。さらに臭化ナトリウムを、５．３ｍｇ／Ｌ、次亜塩素酸ナトリウムを３．８８ｍｇ／Ｌ(遊離有効塩素濃度で１．８ｍｇ／Ｌ)となる量添加し、撹拌機の回転速度を１５０ｒｐｍで撹拌、混合し滞留時間が３０分間となるように通水した。尿素分解槽の上部は窒素ガスにより封止した。得られた尿素分解水に、還元剤として亜硫酸ナトリウムを６ｍｇ／Ｌとなる量添加した後、逆浸透膜装置ＲＯ（水回収率９０％）に通水した。
【００６８】
実施例１における処理条件、逆浸透膜装置ＲＯの透過水中の尿素濃度及び導電率を表１に示す。また、実施例１において、活性炭塔ＡＣに代えて接触酸化塔（空間速度ＳＶ＝２０ｈｒ−１）を用いる場合にも、実施例１と同様の結果が得られる。なお、表１において、上記した装置及び条件のうち、実施例又は比較例で用いたものを○、用いていないものを−で示している。また、実施例１において、逆浸透膜装置ＲＯの透過水の尿素濃度及び導電率は、一次純水システムの運転開始から８時間以上経過後に、透過水水質が定常状態となり安定したときに測定した値である。後述する実施例２、実施例３及び比較例１〜比較例５についても同様である。
【００６９】
（実施例２）
実施例１において、模擬水にフミン酸を添加して色度が０．４度の被処理水２を調整し、被処理水２を活性炭塔ＡＣに供給した他は実施例１と同様の装置、同様の条件で純水を製造した。実施例２における処理条件、逆浸透膜装置ＲＯの透過水中の尿素濃度及び導電率を実施例１と併せて表１に示す。
【００７０】
（実施例３)
実施例２において、活性炭塔ＡＣの前段に接触酸化塔を設置し、被処理水２を接触酸化塔に供給した他は実施例２と同様の装置、同様の条件で純水を製造した。接触酸化塔では、次亜塩素酸ナトリウムを２ｍｇ／Ｌ(遊離有効塩素濃度で１ｍｇ／Ｌ)となる量添加した。活性炭塔ＡＣ供給水の次亜塩素酸ナトリウム濃度は０．８ｍｇ／Ｌ(遊離有効塩素濃度で０．４ｍｇ／Ｌ)であった。実施例３における処理条件、逆浸透膜装置ＲＯの透過水中の尿素濃度及び導電率を実施例１と併せて表１に示す。
【００７１】
（比較例１、２）
実施例１において、尿素分解槽の処理対象水を比較例１ではｐＨ７に調製し、比較例２ではｐＨ調整しなかった他は実施例１と同様の装置、同様の条件で純水を製造した。比較例１、２における処理条件、逆浸透膜装置ＲＯの透過水中の尿素濃度及び導電率を実施例１と併せて表１に示す。なお、比較例２において、尿素分解槽での処理対象水のｐＨは４であった。
【００７２】
（比較例３〜５）
実施例１で用いた一次純水システム２０において、図６に示すように、強酸性陽イオン交換塔ＳＣをバイパスする配管（ａ）、活性炭塔ＡＣをバイパスする配管（ｂ）、脱炭酸塔ＤＧをバイパスする配管（ｃ）を設けた一次純水システム６０を用いて純水を製造した。比較例３では、活性炭処理水を、配管（ａ）を介して、強酸性陽イオン交換塔ＳＣに通水せずに脱炭酸塔ＤＧに供給した。比較例４では、被処理水を、配管（ｂ）を介して活性炭塔ＡＣに通水せずに強酸性陽イオン交換塔ＳＣに供給した。比較例５では、陽イオン交換処理水を、配管（ｃ）を介して脱炭酸塔ＤＧに通水せずに尿素分解槽に供給した。その他は実施例１と同様の条件で純水を製造した。比較例３〜５における処理条件、逆浸透膜装置ＲＯ透過水中の尿素濃度及び導電率を実施例１と併せて表１に示す。また、強酸性陽イオン交換塔ＳＣをバイパスする配管（ａ）を用いた比較例３では通水開始後約２４時間後に逆浸透膜装置ＲＯの透過水量が通水開始直後の７０％以下に低下した。
【００７３】
【表１】
2015100733.tif 000003
【００７４】
表１より、活性炭塔又は接触酸化塔、陽イオン交換塔、脱炭酸塔、尿素分解槽を用い、尿素分解槽での処理対象水のｐＨを１０として次亜臭素酸を添加した実施例では、尿素濃度が１５μｇ／Ｌ以下、導電率が１５μＳ／ｃｍ以下の純水を得られたことが分かる。
【００７５】
（実施例４）
実施例１において、超純水製造システムを停止して、１５時間後に運転を再開し、運転再開後の逆浸透膜装置ＲＯの透過水の尿素濃度及び導電率の経時変化を調べた。結果を表２に示す。
【００７６】
（実施例５）
実施例１と同様の装置、同様の条件で、尿素分解槽の液面上部に窒素ガスを充填した状態で純水を製造した。一旦、超純水製造システムを停止して、１５時間後に運転を再開し、運転再開後の逆浸透膜装置ＲＯの透過水の尿素濃度及び導電率の経時変化を調べた。結果を実施例４と併せて表２に示す。
【００７７】
【表２】
2015100733.tif 000004
【００７８】
表２より、実施例５では、装置の停止中、尿素分解装置の水面からの炭酸ガスの溶解が抑えられるため、再運転開始時の水質が向上することが分かる。
【符号の説明】
【００７９】
１…超純水製造システム、１０…前処理システム、１１…回収処理システム、１２…前処理タンク、２０，６０…一次純水システム、２１…色度除去装置、２２…陽イオン交換装置、２３…脱炭酸装置、２４…尿素分解装置、２５…ポンプ、２６…逆浸透膜装置、２７…アルカリ剤供給装置、２８…次亜臭素酸供給装置、２９…臭化物塩供給装置、３０…塩素系酸化剤供給装置、３１…不活性ガス供給装置、３２…還元剤供給装置、３３…紫外線酸化装置、３４…混床式イオン交換装置、３５…膜脱気装置、３６…一次純水タンク、４０…二次純水システム、５０…ＰＯＵ（ユースポイント）、ＤＧ…脱炭酸塔、ＭＢ…混床式イオン交換装置、ＲＯ…逆浸透膜装置、ＳＣ…強酸性陽イオン交換装置、強酸性イオン交換塔。
【図１】
2015100733.tif 000005
【図２】
2015100733.tif 000006
【図３】
2015100733.tif 000007
【図４】
2015100733.tif 000008
【図５】
2015100733.tif 000009
【図６】
2015100733.tif 000010